(57)【要約】      （修正有）【課題】カメラレンズ鏡筒前面に種々のフィルターを簡単、且つ迅速に装着、及び取り外すことができるワンタッチフィルター枠を提供する。【解決手段】カメラレンズ鏡筒３の最前部に固着可能なリング形状のアタッチメント枠２は、その外周部上に係合溝１２を有しており、アタッチメント枠２の係合溝１２に装着されたフィルター枠本体１はクリップ係合部に連繋されたクリップ係合解除ボタン１３ａ，１３ｂを指先で挟むことにより２カ所のクリップ係合部２１ａ，２１ｂが外れてフィルター枠本体１の取外し・交換動作が可能に構成されている。【選択図】図２
2017146516.tif 000002
【特許請求の範囲】
【請求項１】
カメラのレンズ鏡筒の最前部に螺着されて固着可能なリング形状のアタッチメント枠はフィルター枠本体の係合用の枠体外周部を有するリング形状を形成し、
該アタッチメント枠の枠体外周部には前記フィルター枠本体の係合溝を刻設しており、
該アタッチメント枠に装着されるフィルター枠本体の対向面にはアタッチメント枠の枠体外周部上に刻設された係合溝部に係合する２カ所のクリップ係合部とそのクリップ係合解除ボタンが設けられ、
該２カ所のクリップ係合部を内蔵するフィルター枠本体の外周枠部と各種の効果を有するフィルターレンズを挟持可能なフィルターホルダーはネジ部により螺着一体化されており、
該フィルターホルダーには前記２カ所のクリップ係合部を保持する板バネの一端が夫々固定され、
該フィルターホルダーに固定された板バネの他端は夫々クリップ係合部のクリップ係合解除ボタン端部に連繋固定されていることにより板バネの可撓性にてクリップ動作が可能に形成され、
前記フィルター枠本体はカメラレンズ鏡筒の最前部に固着されたアタッチメント枠の入射光側より重ね合わせて押圧することによりフィルター枠本体の２カ所のクリップ係合部がアタッチメント枠の係合溝に係合装着されてフィルターレンズを用いた撮影が可能となり、
前記アタッチメント枠に係合装着されたフィルター枠本体はクリップ係合部に連繋されたクリップ係合解除ボタンを指先で挟むことにより板バネの可撓性にて２カ所のクリップ係合部が外れてフィルター枠本体の取外し・交換動作が可能に形成され、
また、前記フィルター枠本体はアタッチメント枠に係合装着されている場合にアタッチメント枠に刻設された係合溝に沿って任意に回転可能に構成されていることを特徴とするワンタッチフィルター枠。
【請求項２】
前記フィルター枠本体は光軸の入射光側に位置するフィルターホルダーの外周上で上下または左右の対角位置の２カ所に前記アタッチメント枠に対するクリップ係合解除ボタンを突設して設け、
該クリップ係合解除ボタンの突起部に対向してフィルター枠本体のレンズ鏡筒側の外周枠部には前記アタッチメント枠に対する回転操作用突起部を設けていることを特徴とする請求項１に記載のワンタッチフィルター枠。
【請求項３】
前記フィルター枠本体は複数数枚用意し、
該フィルター枠本体のフィルターホルダーは夫々各種の効果を有するフィルターレンズを挟持して構成することを特徴とする請求項１及び請求項２のいずれかに記載されたワンタッチフィルター。
【請求項４】
前記フィルター枠本体を係合装着しまたは、取外し・交換動作可能なアタッチメント枠はその内径部に各種の効果を有するフィルターレンズを挟持可能に構成し、
該アタッチメント枠は任意に各種の効果を有するフィルターレンズを選択してカメラレンズ鏡筒前面に螺着した後、
前記各種の効果を有するフィルターレンズが夫々挟持されているフィルター枠本体をアタッチメント枠に重ね合わせて装着可能に構成したことを特徴とする請求項１乃至請求項４のいずれかに記載されたワンタッチフィルター枠。
【発明の詳細な説明】
【技術分野】
【０００１】
本発明は、カメラレンズ鏡筒前面にアタッチメント枠を介して各種効果を有する種々のフィルターを簡単、且つ迅速に装着、及び取り外すことができ、またカメラレンズ鏡筒前面に装着されたフィルターは、カメラレンズ鏡筒の光軸を中心として任意に回転可能に形成することにより、偏光フィルターや円偏光フィルター、並びに光条効果フィルターの如く２重枠構造のフィルター枠において、フィルター枠本体を２重構造とすることが不要となるフィルター枠を供するものである。そして、本発明の構成は、前記回転可能なフィルター枠本体に一般形状の各種フィルターレンズを挟持し、該フィルター枠本体はアタッチメント枠を介してカメラレンズ鏡筒前面に装着することで、その装着されたフィルターレンズの各種効果を夫々遺憾なく発揮できるワンタッチフィルター枠を提供するものである。
【０００２】
本発明におけるフィルター枠の着脱機構は、カメラレンズ鏡筒前面に係合溝を刻設したアタッチメント枠を螺着し、該アタッチメント枠に各種のフィルターレンズを挟持したフィルター枠本体を選択して迅速に装着できるもので、フィルター枠本体は、その外周部に２カ所のクリップ係合部とクリップ係合解除ボタンを内蔵する構造を有しており、該クリップ係合部とクリップ係合解除ボタンを用いてフィルター枠本体は、アタッチメント枠の係合溝に対して着脱操作ができ、前記フィルター枠本体はアタッチメント枠に装着された場合にアタッチメント枠が固着されているカメラレンズ鏡筒の光軸を中心にアタッチメント枠に対して任意に回転可能な構成を有している。
【０００３】
そして、前記アタッチメント枠の係合溝に係合し装着されるフィルター枠本体の外周部には、２カ所のクリップ係合解除ボタンがその外周方向に突出してフィルター枠本体の対角位置上に設けられており、該クリップ係合解除ボタンは板バネを介して前記クリップ係合部と連繋した形状を有し、アタッチメント枠にフィルター枠本体を装着する際には、アタッチメント枠にフィルター枠本体を嵌合して押圧することで、フィルター枠本体のクリップ係合部をアタッチメント枠に簡単、且つ迅速に装着可能であり、また、アタッチメント枠よりフィルター枠本体を取り外す際には、フィルター枠本体の外周部に突出して設けられた前記２カ所のクリップ係合解除ボタンを指先で把持することによりクリップ係合部を取り外すことが簡単、且つ迅速に行えるものである。
【０００４】
また、フィルター枠本体の２カ所のクリップ係合解除ボタンの後方（カメラレンズ鏡筒側）の外周方向には、フィルター枠本体の回転操作用突起部が同様に２カ所設けられていて、フィルター枠本体は２カ所の回転操作用突起部を指先で把持して回転することによりカメラレンズ鏡筒の光軸を中心に任意に回転可能に構成されており、フィルター枠本体は、アタッチメント枠に対するフィルター枠本体の嵌合位置を確認してからの装着操作の手順が不要で、任意位置でのフィルター枠の着脱操作が簡単、且つ迅速に行える他、アタッチメント枠を介してカメラレンズ鏡筒前面に取り付けるフィルター枠本体は、カメラレンズ鏡筒の光軸を中心として任意に回転可能に構成されていることによって偏光フィルターや円偏光フィルター、並びに光条効果フィルターにおいても２重枠構造のフィルター枠に構成することが不要となり、回転枠側のフィルターホルダー枠のみでそれぞれの効果フィルターの役割を果たすことができるワンタッチフィルター枠を提供するものである。
【背景技術】
【０００５】
従来技術において、カメラレンズ鏡筒前面に各種効果を有する種々のフィルター枠を装着する方法は、フィルター枠の後面にネジピッチの微細な雄ネジを刻設しておき、カメラレンズ鏡筒前面の内径部に刻設された雌ネジにフィルター枠を指先で把持して回転せしめ、回転が止まるまでしっかりとねじ込む固定方法が一般的である。然しながら、フィルター枠の着脱機構として従来のネジ構造の着脱機構を有するフィルター枠を用いると微細なネジピッチを有するネジ構造の着脱機構は、フィルター枠の装着や取外しに時間がかかりカメラのシャッターチャンスを逃してしまうという欠点がある。
【０００６】
また、カメラレンズ鏡筒前面に各種効果を有する種々のフィルター枠を装着する方法において、微細ピッチのネジ構造による着脱機構を用いる方法は、手の力加減による締めすぎによりネジが噛みこんでしまいがちで、強引に取り外そうとするとカメラレンズ鏡筒やフィルター枠が変形したり破損するおそれがあり、急遽、撮影を中止したりしてしまうこともある。
【０００７】
更に、カメラレンズ鏡筒前面に各種効果を有する種々のフィルター枠を装着する方法において、微細ピッチのネジ機構を用いる方法は、カメラレンズ鏡筒前面からフィルター枠を取り外す際に、カメラレンズ鏡筒前面からフィルターレンズ枠のネジが外れるタイミングが感覚的になることから外れた瞬間が認識できずに手から外れてしまいフィルター枠を落下させてしまったり、落下によりフィルターレンズを破損してしまうことは、間々経験することである。
【０００８】
斯くして、上述した従来のフィルター枠着脱機構のような欠点を解消するためにカメラレンズ鏡筒前面の開口部に予めフィルター枠の取付用補助枠を取付けておき、このフィルター枠の取付け用補助枠に各種効果を有するフィルター枠を装着するタイプのフィルター枠着脱機構を有するフィルター枠の発明が同一出願人の発明にてなされており、その発明は、例えば、特開２０１４−３２２２３号公報（以下、特許文献１と称する）として開示されている。
【０００９】
特許文献１の発明は、レンズ鏡筒最前部の内径部に設けられた雌ネジに螺合する雄ネジ部を有したアダプター枠（フィルター枠の取付け用補助枠）は、その入射光側にフィルター枠装着部を有しており、該フィルター枠装着部はレンズ鏡筒の光軸を中心としてアダプター枠の外径側に形成されたリング形状のテーパー部で、該リング形状のテーパー部は入射光側が小口径でレンズ鏡筒側が大口径を有した外径部用テーパー部を有しており、該外径用テーパー部に嵌合するフィルター枠の内径部テーパー型装着部はフィルター枠の内径部に設けられ先端側が大口径でフィルターレンズ側が小口径を有して各種機能を有するフィルター枠の両面に夫々設けられており、前記レンズ鏡筒の最前部に予めアダプター枠を装着しておき、該アダプター枠の外径部用テーパー部にフィルター枠の両面に設けられた内径部テーパー型装着部のどちらかを嵌合して、フィルター枠を装着するデジタルカメラ用のフィルター着脱機構に関するものであり、この発明により各種機能を有するフィルター枠は前記アダプター枠に対して裏表を構わずに装着できるフィルター着脱機構を開示している。
【００１０】
そして、特許文献１の発明は、従来のネジ式フィルター枠には裏表がありレンズ鏡筒前面に従来のフィルター枠を装着する際には、しっかりとフィルルター枠側のリング側スプリングや雄ネジ部を確認して装着する必要があったものを、特許文献１の発明においては、アダプター枠を予めレンズ鏡筒に取付けておき、該アダプター枠に装着されるフィルター枠の着脱機構は裏表を構わず装着できる形状の着脱機構を形成して、暗がりや、シャッターチャンスを逃したくない緊急時の撮影現場等でフィルター枠の装着や嵌め合い操作を簡単、且つ容易に行えるフィルター着脱機構を提供するものである。
【００１１】
而して、特許文献１の発明において、アダプター枠とフィルター枠の着脱機構は、アダプター枠の外径側に形成されたリング形状のテーパー部に入射光側が小口径でレンズ鏡筒側が大口径を有した外径部用テーパー部を有しており、該外径用テーパー部に嵌合するフィルター枠の内径部テーパー型装着部はフィルター枠の内径部に設けられ先端側が大口径でフィルターレンズ側が小口径を有したフィルター枠の内径部テーパーを形成しており、互いのテーパー部においてフィルター枠はアダプター枠に嵌合する構成で、その嵌合操作は嵌合部の工作精度や個人的感覚で硬い、緩いがあり、結果、工業製品としては、ユーザーに使い易さを納得してもらえる製品ではなかった。
【００１２】
また、特許文献１の実施例においては、上記欠点を解消するために、アダプター枠の入射光側に設けられるフィルター枠の装着部は、レンズ鏡筒の光軸を中心としてアダプター枠の内径部に形成された嵌合溝で、該嵌合溝に嵌合するフィルター枠の嵌合係止爪はフィルターの外径部より外部側に突出して設けられた弾性体板材の先端部に位置し、該弾性板材の他端はフィルター枠に固定されていてその弾性板材の中間部に設けられた四個の摘子をフィルター外径部より押圧することにより弾性体板材を介して前記先端部の嵌合係止爪が光軸方向に可動する構成のフィルター側装着部を有し、該フィルター側装着部は各種機能を有するフィルター枠の両面に夫々設けられており、前記レンズ鏡筒の最前部に予めアダプター枠を装着しておき、該アダプター枠の内径部に形成された嵌合溝にフィルター枠の両面に設けられた嵌合係止爪からなるフィルター側装着部のどちらかを嵌合して前記フィルター枠を装着することのできるフィルター着脱機構も開示されている。
【００１３】
然しながら、特許文献１の発明は、フィルター枠の裏と表の両面にフィルター枠の着脱機構を設ける構成で、この構成の着脱機構を製作することになると、製造工程が複雑となり大幅に製品コストが高いフィルター枠となり、該フィルター枠毎に各種効果を有するフィルターを挟持して夫々のフィルター枠を品揃えすることは大きな経済的損失であると言わざるをえない。
【００１４】
そして、上記の特許文献１の発明は、予めカメラレンズ鏡筒に装着したアダプター枠に対して簡単にフィルター枠を装着及び取外しすることができるものであるが、その着脱機構の操作性は、残念ながらあまり良好ではなく、また、フィルター枠の裏と表の両面にフィルター枠の着脱機構を設けることによりフィルター枠の厚みが大きくなり、撮影時にケラレ現象が発生してしまう原因をも有している。
【００１５】
更に、上記の引用文献１の実施例においては、フィルター枠の外周部に突出して設けられる四個の摘子を押圧することによりフィルター枠の脱着を行う装置を設けているが、この四個の摘子は、片手の指先で把持して操作することが難しく、また、外周部に突出して設けられる摘子は輸送中に押圧されてフィルター枠がレンズ鏡筒から外れてしまう欠点を有している。
【先行技術文献】
【特許文献】
【００１６】
【特許文献１】特開２０１４−３２２２３号公報
【発明の概要】
【発明が解決しようとする課題】
【００１７】
斯くして、本発明は、カメラレンズ鏡筒前面にアタッチメント枠を介して各種効果を有する種々のフィルターを簡単、且つ迅速に装着、及び取り外すことができ、またカメラレンズ鏡筒前面に装着されたフィルターは、カメラレンズ鏡筒の光軸を中心として任意に回転可能に形成することにより、偏光フィルターや円偏光フィルター、並びに光条効果フィルターの如く２重枠構造のフィルター枠において、フィルター枠本体を２重構造とすることが不要となるフィルター枠を供するものである。そして、本発明の構成は、前記回転可能なフィルター枠本体に一般形状の各種フィルターレンズを挟持し、該フィルター枠本体をアタッチメント枠を介してカメラレンズ鏡筒前面に装着することで、その装着されたフィルターレンズの各種効果を夫々遺憾なく発揮できるワンタッチフィルター枠を提供するものである。
【００１８】
また、本発明におけるフィルター枠の着脱機構は、アタッチメント枠とフィルター枠の組み合わせ機構で、アタッチメント枠に装着されるフィルター枠本体の外周部には、２カ所のクリップ係合解除ボタンが外周方向に突出してフィルター枠本体の対角位置上に設けられており、該クリップ係合解除ボタンは板バネを介して前記クリップ係合部と連繋した形状を有し、アタッチメント枠にフィルター枠本体を装着する場合の操作は、アタッチメント枠にフィルター枠本体を嵌合して押圧することで、クリップ係合部をアタッチメント枠の外周上に刻設された係合溝部に嵌着して装着され、アタッチメント枠よりフィルター枠を取り外す場合の操作は、フィルター枠本体の外周部に突出して設けられた前記２カ所のクリップ係合解除ボタンを指先で把持することにより取り外すことが簡単、且つ迅速に行えるものであり、特に本発明においてフィルター枠の着脱操作は、極寒の環境下にあっても手袋を嵌めたままで、簡単、且つ迅速に着脱操作の可能なワンタッチフィルター枠を提供するものである。
【００１９】
更に、本発明におけるフィルター枠の着脱機構は、フィルター枠本体の２カ所のクリップ係合解除ボタンの後方（カメラレンズ鏡筒側）の外周方向に、フィルター枠本体の回転操作用突起部が同様に２カ所設けられていて、フィルター枠本体は２カ所の回転操作用突起部を指先で把持して回転することによりカメラレンズ鏡筒の光軸を中心に任意に回転可能に構成されていることにより、前記フィルター枠本体は、アタッチメント枠に対するフィルター枠本体の嵌合位置を確認してからの装着操作の手順が不要で、任意位置でのフィルター枠の着脱操作が簡単、且つ迅速に行えるワンタッチフィルター枠を提供するものである。
【００２０】
そして、本発明におけるフィルター枠の着脱機構は、カメラレンズ鏡筒前面の開口部に固着されたリング形状のアタッチメント枠に各種の効果を有するフィルターレンズを挟持したフィルター枠本体を任意に選択して装着する組み合わせの利用方法の他、前記アタッチメント枠に例えばレンズ保護フィルターレンズを挟持し、該アタッチメント枠のレンズ保護フィルターレンズに偏光フィルターレンズ、円偏光フィルターレンズ、段階的に減光効果を発揮できる夫々の減光フィルターレンズ、各種の色温度変換可能な色温度変換フィルターレンズ、段階的に近接撮影の可能なクローズアップフィルターレンズ、色補正フィルターレンズ、ソフト効果フィルターレンズ、ソフトスポット効果フィルターレンズ、光条効果フィルターレンズ、色彩効果フィルターレンズ等の各種の効果を有するフィルターを挟持したフィルター枠本体を重ねて装着することにより、今までになかったフィルター効果を発揮できるワンタッチフィルター枠を提供するものである。
【課題を解決するための手段】
【００２１】
本発明において、カメラのレンズ鏡筒最前部に螺着されて固着可能なリング形状のアタッチメント枠は、フィルター枠本体の係合用の枠体を形成し、該フィルター枠本体の係合用の枠体となるアタッチメント枠はその外周部上に刻設されたフィルター枠本体の係合溝を有しており、該アタッチメント枠に装着されるフィルター枠本体の対向面にはアタッチメント枠の外周部上に刻設された係合溝部に係合する２カ所のクリップ係合部とそのクリップ係合解除ボタンがもうけられ、該２カ所のクリップ係合部を内蔵するフィルター枠本体の外周枠部内には各種の効果を有するフィルターレンズを挟持可能なフィルターホルダーがネジ部により螺着一体化されており、該フィルターホルダーには前記２カ所のクリップ係合部を保持する板バネの一端が夫々固定され、該フィルターホルダーに固定された板バネの他端は夫々クリップ係合部のクリップ係合解除ボタン端部に連繋固定されていることにより板バネの可撓性にてクリップ動作が可能に形成され、前記フィルター枠本体はカメラレンズ鏡筒最前部に固着されたアタッチメント枠の入射光側より重ね合わせて押圧することによりフィルター枠本体の２カ所のクリップ係合部がアタッチメント枠の係合溝に係合装着されてフィルターを用いた撮影が可能となり、前記アタッチメント枠に係合装着されたフィルター枠本体はクリップ係合部に連繋されたクリップ係合解除ボタンを指先で挟むことにより板バネの可撓性にて２カ所のクリップ係合部が外れてフィルター枠本体の取外し・交換動作が可能に形成され、また、前記フィルター枠本体はアタッチメント枠に係合装着されている場合にアタッチメント枠に刻設された係合溝に沿って任意に回転可能に構成されているワンタッチフィルター枠を提供するものである。
【００２２】
また、本発明において、フィルター枠本体は、光軸の入射光側に位置するフィルターホルダーの外周上で上下または左右の対角位置の２カ所に前記アタッチメント枠に対するクリップ係合解除ボタンを突設して設け、該クリップ係合解除ボタンの突起部に対向してレンズ鏡筒側の外周部には前記アタッチメント枠に対する回転操作用突起部を２カ所設けているワンタッチフィルター枠であり、本発明において、アタッチメント枠にフィルター枠本体を装着する場合の操作は、アタッチメント枠にフィルター枠本体を嵌合して押圧することで、クリップ係合部をアタッチメント枠の外周上に刻設された係合溝部に嵌着して装着され、また、アタッチメント枠よりフィルター枠を取り外す場合の操作は、フィルター枠本体の外周枠部に突出して設けられた前記２カ所のクリップ係合解除ボタンを指先で把持することにより取り外すことが簡単、且つ迅速に行えるものである。そして、特に本発明において、フィルター枠本体の着脱操作は、極寒の環境下にあっても手袋を嵌めたままでも、簡単、且つ迅速に着脱操作の可能なワンタッチフィルター枠を提供するものである。
【００２３】
更に本発明において、フィルター枠本体は予めフィルター枠本体を複数数枚用意し、該フィルター枠本体のフィルターホルダーは夫々各種の効果を有するフィルターレンズを挟持して構成することにより各種の効果を有するフィルター枠本体は撮影現場等においても簡単、且つ迅速に着脱操作の可能でシャッターチャンスを逃さないワンタッチフィルターを提供するものである。
【００２４】
そして、本発明はフィルター枠本体を係合装着し、または、取外し・交換動作可能なアタッチメント枠はその内径部に各種の効果を有するフィルターレンズを挟持可能に構成し、該アタッチメント枠は任意に各種の効果を有するフィルターレンズを選択してカメラレンズ鏡筒前面に螺着した後、前記各種の効果を有するフィルターレンズが夫々挟持されているフィルター枠本体をアタッチメント枠に重ね合わせて装着可能に構成したワンタッチフィルター枠を提供するものであり、上記フィルター着脱機構の組み合わせは、レンズ鏡筒最前部の内径部に螺着されその内径部にはフィルターレンズを挟持しない構造のリング形状のアタッチメント枠と、各種の効果を有する夫々のフィルターレンズが挟持されているフィルター枠本体とを重ね合わせて用いるものと、アタッチメント枠の内径部に各種効果を有するフィルターレンズを挟持した構造のものを製造し、前記二種類のアタッチメント枠を任意に使いわけて使用し、該アタッチメント枠を介してフィルター枠本体をカメラのレンズ鏡筒最前部への着脱機構とすることによりフィルター効果の拡大を図るものであり、前記アタッチメント枠に、例えばレンズ保護フィルターレンズを挟持し、該アタッチメント枠のレンズ保護フィルターレンズに偏光フィルターレンズ、円偏光フィルターレンズ、段階的に減光効果を発揮できる夫々の減光フィルターレンズ、各種の色温度変換可能な色温度変換フィルターレンズ、段階的に近接撮影の可能なクローズアップフィルターレンズ、色補正フィルターレンズ、ソフト効果フィルターレンズ、ソフトスポット効果フィルターレンズ、光条効果フィルターレンズ、色彩効果フィルターレンズ等の各種の効果を有するフィルターを挟持したフィルター枠本体を重ねて装着することにより、今までになかったフィルター効果を発揮できるワンタッチフィルター枠を提供するものである。
【発明の効果】
【００２５】
斯くして、本発明は、カメラレンズ鏡筒前面に各種効果を有する種々のフィルターを簡単、且つ迅速に装着、及び取り外すことができシャッターチャンスを逃さないフィルター枠を提供可能であり、またカメラレンズ鏡筒前面に装着されたフィルターは、カメラレンズ鏡筒の光軸を中心として任意に回転可能に形成することにより、偏光フィルターや円偏光フィルター、並びに光条効果フィルターの如く２重枠構造のフィルター枠において、フィルター枠を２重構造とすることが不要となるフィルター枠を供することが可能であり、本発明は、回転枠側に挟持する一般形状のフィルターホルダーのみをフィルター枠本体に装着することで、それぞれの役割をもつ、フィルターの効果を引き出すだすことができるワンタッチフィルター枠を提供することが可能である。そして、本発明に使用されるフィルター枠本体の形状は、裏表の両面に着脱機構のない薄型形状を有し、また従来の２重枠構造のフィルター枠も２重枠構造にする必要がないことから、全体としてケラレ現象の発生しない薄型形状のフィルター枠に構成することが可能である。
【００２６】
また、本発明におけるフィルター枠の着脱機構は、アタッチメント枠とフィルター枠本体の組み合わせ機構で、アタッチメント枠に装着されるフィルター枠本体の外周部には、２カ所のクリップ係合解除ボタンが外周方向に突出してフィルター枠本体の対角位置上に設けられており、該クリップ係合解除ボタンは板バネを介して前記クリップ係合部と連繋した形状を有し、アタッチメント枠にフィルター枠本体を装着する場合の操作は、アタッチメント枠にフィルター枠本体を嵌合して押圧することで、クリップ係合部をアタッチメント枠の外周上に刻設された係合溝部に嵌着して装着され、アタッチメント枠よりフィルター枠を取り外す場合の操作は、フィルター枠本体の外周部に突出して設けられた前記２カ所のクリップ係合解除ボタンを指先で把持することにより取り外すことが簡単、且つ迅速に行えるものであり、特に本発明においてフィルター枠の着脱操作は、極寒の環境下にあっても手袋を嵌めたままで、簡単、且つ迅速に着脱操作の可能なワンタッチフィルター枠を提供することができる。
【００２７】
更に、本発明におけるフィルター枠の着脱機構は、フィルター枠本体の２カ所のクリップ係合解除ボタンの後方（カメラレンズ鏡筒側）の外周方向に、フィルター枠本体の回転操作用突起部が同様に２カ所設けられていて、フィルター枠本体は２カ所の回転操作用突起部を指先で把持して回転することによりカメラレンズ鏡筒の光軸を中心に任意に回転可能に構成されていることにより、前記フィルター枠本体は、アタッチメント枠に対するフィルター枠本体の嵌合位置を確認してからの装着操作の手順が不要で、任意位置でのフィルター枠の着脱操作が簡単、且つ迅速に行えるワンタッチフィルター枠を提供することができる。
【００２８】
そして、本発明におけるフィルター枠の着脱機構は、カメラレンズ鏡筒前面の開口部に固着されたリング形状のアタッチメント枠に各種の効果を有するフィルターレンズを挟持したフィルター枠本体を任意に選択して装着する組み合わせの利用方法の他、前記アタッチメント枠に例えばレンズ保護フィルターレンズを挟持し、該アタッチメント枠のレンズ保護フィルターレンズに偏光フィルターレンズ、円偏光フィルターレンズ、段階的に減光効果を発揮できる夫々の減光フィルターレンズ、各種の色温度変換可能な色温度変換フィルターレンズ、段階的に近接撮影の可能なクローズアップフィルターレンズ、色補正フィルターレンズ、ソフト効果フィルターレンズ、ソフトスポット効果フィルターレンズ、光条効果フィルターレンズ、色彩効果フィルターレンズ等の各種の効果を有するフィルターを挟持したフィルター枠本体を重ねて装着することにより、今までになかったフィルター効果を発揮できるワンタッチフィルター枠を提供可能にするものである。
【図面の簡単な説明】
【００２９】
【図１】本発明の組合わせ部材を説明する側面図。
【図２】本発明の組合わせ部材説明図で図１の側断面図。
【図３】本発明のフィルター枠を説明する正面図。
【図４】（Ａ）図３のＡ−Ａ拡大断面図。       （Ｂ）図３のＢ−Ｂ拡大断面図。
【図５】（Ａ）本発明に係るアタッチメント枠の正面図。       （Ｂ）図５（Ａ）のＣ−Ｃ拡大断面図。
【図６】アタッチメント枠のカメラレンズ鏡筒への装着操作説明図。
【図７】フィルター枠本体のアタッチメント枠への装着操作説明図。
【図８】（Ａ）フィルター枠本体の取外し動作説明図。        （Ｂ）フィルター枠本体の取外し機構説明図。
【図９】（Ａ）本発明の実施例２を説明するアタッチメント枠の正面図。       （Ｂ）図９（Ａ）のＣ−Ｃの拡大断面図。
【発明を実施するための形態】
【００３０】
本発明は、カメラレンズ鏡筒前面にアタッチメント枠を介して各種効果を有する種々のフィルターを簡単、且つ迅速に装着、及び取り外すことができ、またカメラレンズ鏡筒前面に装着されたフィルターは、カメラレンズ鏡筒の光軸を中心として任意に回転可能に形成することにより、偏光フィルターや円偏光フィルター、並びに光条効果フィルターの如く２重枠構造のフィルター枠において、フィルター枠本体を２重構造とすることが不要となるフィルター枠を供するものであり、本発明の構成は、回転枠側に挟持する一般形状のフィルターホルダーのみをフィルター枠本体にアタッチメント枠を介して装着することで、その装着された夫々の効果フィルターの効果を遺憾なく発揮できるワンタッチフィルター枠を提供するものである。
【００３１】
また、本発明におけるフィルター枠の着脱機構は、アタッチメント枠とフィルター枠の組み合わせ機構で、アタッチメント枠に装着されるフィルター枠本体の外周部には、２カ所のクリップ係合解除ボタンが外周方向に突出してフィルター枠本体の対角位置上に設けられており、該クリップ係合解除ボタンは板バネを介して前記クリップ係合部と連繋した形状を有し、アタッチメント枠にフィルター枠本体を装着する場合の操作は、アタッチメント枠にフィルター枠本体を嵌合して押圧することで、クリップ係合部をアタッチメント枠の外周上に刻設された係合溝部に嵌着して装着され、アタッチメント枠よりフィルター枠を取り外す場合の操作は、フィルター枠本体の外周部に突出して設けられた前記２カ所のクリップ係合解除ボタンを指先で把持することにより取り外すことが簡単、且つ迅速に行えるものであり、特に本発明においてフィルター枠の着脱操作は、極寒の環境下にあっても手袋を嵌めたままで、簡単、且つ迅速に着脱操作の可能なワンタッチフィルター枠を提供するものである。
【００３２】
更に、本発明におけるフィルター枠の着脱機構は、フィルター枠本体の２カ所のクリップ係合解除ボタンの後方（カメラレンズ鏡筒側）の外周方向に、フィルター枠本体の回転操作用突起部が同様に２カ所設けられていて、フィルター枠本体は２カ所の回転操作用突起部を指先で把持して回転することによりカメラレンズ鏡筒の光軸を中心に任意に回転可能に構成されていることにより、前記フィルター枠本体は、アタッチメント枠に対するフィルター枠本体の嵌合位置を確認してからの装着操作の手順が不要で、任意位置でのフィルター枠の着脱操作が簡単、且つ迅速に行えるワンタッチフィルター枠を提供するものである。
【００３３】
そして、本発明におけるフィルター枠の着脱機構は、カメラレンズ鏡筒前面の開口部に固着されたリング形状のアタッチメント枠に各種の効果を有するフィルターレンズを挟持したフィルター枠本体を任意に選択して装着する組み合わせの利用方法の他、前記アタッチメント枠に例えばレンズ保護フィルターレンズを挟持し、該アタッチメント枠のレンズ保護フィルターレンズに偏光フィルターレンズ、円偏光フィルターレンズ、段階的に減光効果を発揮できる夫々の減光フィルターレンズ、各種の色温度変換可能な色温度変換フィルターレンズ、段階的に近接撮影の可能なクローズアップフィルターレンズ、色補正フィルターレンズ、ソフト効果フィルターレンズ、ソフトスポット効果フィルターレンズ、光条効果フィルターレンズ、色彩効果フィルターレンズ等の各種の効果を有するフィルターを挟持したフィルター枠本体を重ねて装着することにより、今までになかったフィルター効果を発揮できるワンタッチフィルター枠を提供するものである。
【００３４】
また、上記アタッチメント枠とフィルターレンズ本体の組み合わせ利用方法は、アタッチメント枠に各種の色温度変換フィルターレンズを挟持したものを複数枚用意しておき、該複数枚の色温度変換フィルターレンズとフィルター枠本体に挟持された偏光フィルターレンズ、円偏光フィルターレンズ、ソフトスポット効果フィルターレンズ、光条効果フィルターレンズ等の各種の効果を有するフィルターを挟持したフィルター枠本体を重ねて装着することにより、今までになかったフィルター効果を発揮できるワンタッチフィルター枠を提供するものである。
【００３５】
更に、上記アタッチメント枠とフィルターレンズ本体の組み合わせ利用方法において、アタッチメント枠に各種の色補正フィルターレンズを挟持したものを複数枚用意しておき、該複数枚の色補正フィルターレンズとフィルター枠本体に挟持された偏光フィルターレンズ、円偏光フィルターレンズ、ソフトスポット効果フィルターレンズ、光条効果フィルターレンズ等の各種の効果を有するフィルターを挟持したフィルター枠本体を重ねて装着することにより、今までになかったフィルター効果を発揮できるワンタッチフィルター枠を提供するものである。
【００３６】
斯くして、本発明において、カメラのレンズ鏡筒最前部の内径部に螺着されレンズ鏡筒最前部に固着可能なリング形状のアタッチメント枠は、レンズ鏡筒最前部に口径部を形成し、該リング形状のアタッチメント枠の口径部にはその外周上に刻設されたフィルター枠の係合溝部を有しており、また前記アタッチメント枠に装着されるフィルター枠本体の対向面にはアタッチメント枠の口径部外周上に刻設された係合溝部に係合する２カ所のクリップ係合部とクリップ係合解除ボタンが形成され、該２カ所のクリップ係合部を内蔵するフィルター枠本体の外周枠部内には各種の効果を有するフィルターレンズを挟持したフィルターホルダー枠がネジ部により螺着一体化されており、該フィルターホルダー枠には夫々のクリップ係合部を保持する板バネの一端が固定され、該フィルターホルダーに固定された板バネの他端は夫々のクリップ係合部とクリップ係合解除ボタンに連繋固定されておりクリップ係合部とクリップ係合解除ボタンを指先で挟むことにより板バネの可撓性にてクリップ動作が可能に形成され、該クリップ係合部とクリップ係合解除ボタンを介してフィルター枠本体が前記アタッチメント枠の口径部の外周上に刻設された係合溝部に係合装着することで前記アタッチメント枠にフィルター枠本体とフィルターホルダー枠が装着可能に構成され、該アタッチメント枠に装着されたフィルター枠本体とフィルターホルダー枠は前記アタッチメント枠に刻設された係合溝部に沿って任意に回転可能に構成されているワンタッチフィルター枠であることが好ましい。
【００３７】
また、本発明におけるワンタッチフィルター枠において、フィルター枠本体は光軸の入射光側に位置するフィルターホルダーの外周上で上下または左右の対角位置の２カ所に前記アタッチメント枠に対するクリップ係合解除ボタンを突設して設け、該クリップ係合解除ボタンの突起部に対向してフィルター枠本体のレンズ鏡筒側の外周枠部には前記アタッチメント枠に対する回転操作用突起部を２カ所設けている構成であることが好ましい。尚、本発明のフィルター枠本体は従来のアルミ製に替わり高分子弾性体からなる合成樹脂、即ち、熱硬化性樹脂や熱可塑性樹脂、並びに合成樹脂を用いた繊維強化プラスチックスなどの複合材料を成形加工して製作してもよく、特に前記クリップ係合解除ボタンやクリップ係合部は滑性の良い合成樹脂を用いることが好ましい。
【００３８】
更に本発明においてフィルター枠本体のフィルターホルダー枠には、各種の効果を有するフィルターレンズが夫々挟持されていることが必要で、本発明は各種の効果を有するフィルターレンズが夫々挟持されているフィルター枠本体を夫々準備することが好ましい。
【００３９】
そして、本発明は、フィルター枠本体がアタッチメント枠に装着され、また、フィルター枠本体を任意に取外し可能なアタッチメント枠はその内径部に各種の効果を有するフィルターレンズ、例えば、レンズ保護フィルターレンズ、各種の色温度変換可能な色温度変換フィルターレンズ、色補正フィルターレンズ、ソフト効果フィルターレンズ、を挟持していることが好ましい。
【００４０】
また、本発明において、アタッチメント枠はその内径部に各種の効果を有するフィルターレンズを挟持し、該アタッチメント枠は任意に各種の効果を有するフィルターレンズ選択してカメラレンズ鏡筒前面に螺着した後、各種の効果を有するフィルターレンズが夫々挟持されているフィルター枠本体をカメラのレンズ鏡筒最前部アタッチメント枠に重ね合わせて装着できるワンタッチフィルター枠であることが好ましい。
【００４１】
而して、本発明は、カメラレンズ鏡筒前面に各種効果を有する種々のフィルターを簡単、且つ迅速に装着、及び取り外すことができ、またカメラレンズ鏡筒前面に装着されたフィルターは、カメラレンズ鏡筒の光軸を中心として任意に回転可能に形成することにより、偏光フィルターや円偏光フィルター、並びに光条効果フィルターの如く２重枠構造のフィルター枠において、フィルター枠を２重構造とすることが不要となるフィルター枠を供することが可能であり、本発明は、回転枠側に挟持する一般形状のフィルターホルダーのみをフィルター枠本体に装着することで、それぞれの役割をもつ、フィルターの効果を引き出すだすことができるワンタッチフィルター枠を提供することが可能である。そして、本発明に使用されるフィルター枠本体の形状は、裏表の両面に着脱機構のない薄型形状を有し、また従来の２重枠構造のフィルター枠も２重枠構造にする必要がないことから、全体としてケラレ現象の発生しにくい薄型形状のフィルター枠を製作することが可能である。
【００４２】
また、本発明におけるフィルター枠の着脱機構は、アタッチメント枠とフィルター枠本体の組み合わせ機構で、アタッチメント枠に装着されるフィルター枠本体の外周部には、２カ所のクリップ係合解除ボタンが外周方向に突出してフィルター枠本体の対角位置上に設けられており、該クリップ係合解除ボタンは板バネを介して前記クリップ係合部と連繋した形状を有し、アタッチメント枠にフィルター枠本体を装着する場合の操作は、アタッチメント枠にフィルター枠本体を嵌合して押圧することで、クリップ係合部をアタッチメント枠の外周上に刻設された係合溝部に嵌着して装着され、アタッチメント枠よりフィルター枠を取り外す場合の操作は、フィルター枠本体の外周部に突出して設けられた前記２カ所のクリップ係合解除ボタンを指先で把持することにより取り外すことが簡単、且つ迅速に行えるものであり、特に本発明においてフィルター枠の着脱操作は、極寒の環境下にあっても手袋を嵌めたままで、簡単、且つ迅速に着脱操作の可能なワンタッチフィルター枠を提供することができる。
【００４３】
更に、本発明におけるフィルター枠の着脱機構は、フィルター枠本体の２カ所のクリップ係合解除ボタンの後方（カメラレンズ鏡筒側）の外周方向に、フィルター枠本体の回転操作用突起部が同様に２カ所設けられていて、フィルター枠本体は２カ所の回転操作用突起部を指先で把持して回転することによりカメラレンズ鏡筒の光軸を中心に任意に回転可能に構成されていることにより、前記フィルター枠本体は、アタッチメント枠に対するフィルター枠本体の嵌合位置を確認してからの装着操作の手順が不要で、任意位置でのフィルター枠の着脱操作が簡単、且つ迅速に行えるワンタッチフィルター枠を提供することができる。
【００４４】
そして、本発明におけるフィルター枠の着脱機構は、カメラレンズ鏡筒前面の開口部に固着されたリング形状のアタッチメント枠に各種の効果を有するフィルターレンズを挟持したフィルター枠本体を任意に選択して装着する組み合わせの利用方法の他、前記アタッチメント枠に例えばレンズ保護フィルターレンズを挟持し、該アタッチメント枠のレンズ保護フィルターレンズに偏光フィルターレンズ、円偏光フィルターレンズ、段階的に減光効果を発揮できる夫々の減光フィルターレンズ、各種の色温度変換可能な色温度変換フィルターレンズ、段階的に近接撮影の可能なクローズアップフィルターレンズ、色補正フィルターレンズ、ソフト効果フィルターレンズ、ソフトスポット効果フィルターレンズ、光条効果フィルターレンズ、色彩効果フィルターレンズ等の各種の効果を有するフィルターを挟持したフィルター枠本体を重ねて装着することにより、今までになかったフィルター効果を発揮できるワンタッチフィルター枠を提供可能にするものである。
【実施例１】
【００４５】
図１は、本発明の実施例１を説明する組合わせ部材側面図、図２は図１の組合わせ部材を側断面図にて表示した説明図であり、図３は組合わせ部材説明図のフィルター枠を説明する正面図、そして、図４（Ａ）は図３のＡ−Ａ拡大断面図、図４（Ｂ）は図３のＢ−Ｂ拡大断面図である。また、図５（Ａ）は組合わせ部材説明図のアタッチメント枠の正面図、図５（Ｂ）は図５（Ａ）に示すＣ−Ｃ拡大断面図である。
【００４６】
図１乃至図５において、１はフィルター枠本体、２はアタッチメント枠、３はカメラレンズ鏡筒（最前部のみ図示）、Ｃはカメラレンズ鏡筒の光軸であり、本発明に用いられる組合わせ部材のフィルター枠本体１、アタッチメント枠２の光軸もカメラレンズ鏡筒３の光軸Ｃ上に合致可能である。尚、図１、図２において、４ａはフィルター枠本体の入射光側、４ｂはフィルター枠本体のレンズ鏡筒側を示し、５ａはアタッチメント枠２の入射光側、５ｂはアタッチメント枠２のレンズ鏡筒側を示しており、６ａはカメラレンズ鏡筒３の入射光側を夫々表示している。
【００４７】
また、図１、図２において、カメラレンズ鏡筒３のレンズ鏡筒最前部に位置する口径７の内径部８には、アタッチメント枠２を螺着するための雌ネジ９が螺設されている。そして、カメラレンズ鏡筒３の口径７に対向する位置に配置されたアタッチメント枠２はリング形状を有した枠体で、そのレンズ鏡筒側５ｂにはアタッチメント枠２をカメラレンズ鏡筒３の内径部８に螺着し固定するための雄ネジ１０が螺設されており、該アタッチメント枠２の入射光側５ａの枠体外周部１１には係合溝１２が刻設されている。
【００４８】
而して、図１の側面図において、前記アタッチメント枠２の入射光側５ａに配置されたフィルター枠本体１の形状は、上下２カ所に設置されたクリップ係合解除ボタン１３ａ、１３ｂと同じく上下２カ所に設置された回転操作用突起部１４ａ、１４ｂを有するフィルター枠本体の外周枠部１５からなり、前記フィルター枠本体１は、図３に示すようにフィルター枠本体１のフィルターホルダー１６、及びフィルター枠本体の外周枠部１５（裏面）の外周上で上下の対角位置の２カ所に前記アタッチメント枠２に対するクリップ係合解除ボタン１３ａ、１３ｂを突設して設けている。
【００４９】
また、図２の側断面図において、１３ａ、１３ｂはクリップ係合解除ボタン、１４ａ、１４ｂは回転操作用突起部、１５はフィルター枠本体の外周枠部、１６はフィルターホルダー、１７はフィルターレンズであり、該フィルターレンズ１７は前記フィルターホルダー１６と押さえバネリング１８により挟持されフィルター枠本体１に内蔵されている。そして、前記フィルターホルダー１６とフィルター枠本体の外周枠部１５はフィルターレンズ１７を挟持しネジ部１９（図４（Ｂ）に図示）により螺着されて一体化してフィルター枠本体１を形成しており、該フィルター枠本体１内には板バネ２０ａ、２０ｂを介して夫々クリップ動作の可能なクリップ係合部２１ａ、２１ｂと、該クリップ係合部２１ａ、２１ｂを動作させるためのクリップ係合解除ボタン１３ａ、１３ｂが連繋して設けられている。
【００５０】
図４（Ａ）は、図３のＡ−Ａ拡大断面図、図４（Ｂ）は図３のＢ−Ｂ拡大断面図であり、図４において図１乃至図３と同一符号は同一構成要素を示している。図４（Ａ）（Ｂ）において、１はフィルター枠本体、１３ａはクリップ係合解除ボタン、１４ａは回転操作用突起部、１５はフィルター枠本体の外周枠部、１６はフィルターホルダー、１７はフィルターレンズ、１８は押さえバネリング、１９はネジ部、２０ａ板バネ、２１ａはクリップ係合部である。
【００５１】
図４（Ａ）はクリップ係合解除ボタン１３ａと回転操作用突起部１４ａを拡大表示しており、前記クリップ係合解除ボタン１３ａはフィルター枠本体１の上部に突起して設けられ、該クリップ係合解除ボタン１３ａの突起部に対向してフィルター枠本体１のレンズ鏡筒側４ｂの外周枠部には前記アタッチメント枠２に対する回転操作用突起部１４ａが設けられている。また、フィルターホルダー１６には前記クリップ係合部２１ａを保持する板バネ２０ａの一端が夫々固定され、該フィルターホルダー１６に固定された板バネ２０ａの他端はクリップ係合部２１ａのクリップ係合解除ボタン１３ａの端部に連繋固定されていることにより板バネ２０ａの可撓性にてクリップ動作が可能に形成されている。また、図４（Ｂ）は、図３のＢ−Ｂ拡大断面図で、前記フィルター枠本体１において、フィルターホルダー１６とフィルター枠本体の外周枠部１５がネジ部１９により一体化し、フィルターレンズ１７を押さえバネリング１８を介して挟持してフィルター枠本体１を形成しているものである。
【００５２】
次に、フィルター枠本体１が装着される前記アタッチメント枠２の形状について、図５（Ａ）の本発明に係るアタッチメント枠の正面図と（Ｂ）図５（Ａ）のＣ−Ｃ拡大断面図に基づいて説明する。図５において、２はアタッチメント枠、５ａはアタッチメント枠の入射光側、５ｂはアタッチメント枠のレンズ鏡筒側、１０は前記レンズ鏡筒の内径部８に螺着し固定されるための雄ネジ、１１は枠体外周部、１２は枠体外周部１１に刻設された係合溝、２２はフィルターレンズ嵌合部である。尚、本発明の実施例１においては、前記フィルターレンズ嵌合部２２にはフィルターレンズが嵌合されておらず、アタッチメント枠２はリング形状を有した入射光の貫通枠を形成している。
【００５３】
斯くして、図６はアタッチメント枠のカメラレンズ鏡筒への装着操作説明図、図７はフィルター枠本体のアタッチメント枠への装着操作説明図、図８（Ａ）はフィルター枠本体の装着及び取外し動作説明図、図８（Ｂ）はフィルター枠本体の取外し機構説明図である。
【００５４】
図６及び図７において、カメラレンズ鏡筒３の最前部の内径部８に設けられた雌ねじ９にはアタッチメント枠２に螺設された雄ネジ１０が螺合され、アタッチメント枠２をカメラレンズ鏡筒３最前部に固着されており、アタッチメント枠２に装着されるフィルター枠本体の外周枠部１５には、２カ所のクリップ係合解除ボタン１３ａ、１３ｂが外周方向に突出してフィルター枠本体１の対角位置上に設けられており、該クリップ係合解除ボタン１３ａ、１３ｂは板バネ２０ａ、２０ｂを介してクリップ係合部２１ａ、２１ｂと連繋した形状を有し、前記アタッチメント枠２にフィルター枠本体１を装着する場合の操作は、アタッチメント枠２にフィルター枠本体１を矢印方向に移動して嵌合し押圧することで、クリップ係合部２１ａ、２１ｂをアタッチメント枠２の枠体外周部１１に刻設された係合溝部１２に嵌着して装着され、該クリップ係合部２１ａ、２１ｂは前記アタッチメント枠２の外周上に刻設された係合溝部１２に沿って回動可能でありフィルター枠本体１はカメラレンズ鏡筒３の光軸Ｃを中心として任意に回転可能に構成されている。
【００５５】
図７はカメラレンズ鏡筒３に固着されたアタッチメント枠２にフィルターレンズ枠本体１が装着された状態を示しており、アタッチメント枠２に装着されるフィルルターレンズ１７は、例えばレンズ保護フィルターレンズ、偏光フィルターレンズ、円偏光フィルターレンズ、段階的に減光効果を発揮できる夫々の減光フィルターレンズ、各種の色温度変換可能な色温度変換フィルターレンズ、段階的に近接撮影の可能なクローズアップフィルターレンズ、色補正フィルターレンズ、ソフト効果フィルターレンズ、ソフトスポット効果フィルターレンズ、光条効果フィルターレンズ、色彩効果フィルターレンズ等の各種の効果を有するフィルターを挟持したフィルター枠本体とすることができ、各種のフィルター効果を発揮できるワンタッチフィルター枠を提供するものである。
【００５６】
そして、本発明は、カメラレンズ鏡筒３前面に装着されたフィルター枠本体１をカメラレンズ鏡筒３の光軸を中心として任意に回転可能であることにより、偏光フィルターや円偏光フィルター、並びに光条効果フィルターの如く２重枠構造のフィルター枠において、フィルター枠本体１を２重構造とすることが不要となるフィルター枠を供するものである。
【００５７】
図８（Ａ）はフィルター枠本体の装着及び取外し動作説明図であり、図８（Ｂ）フィルター枠本体の取外し機構説明図である。図８において、フィルター枠本体１は、光軸Ｃのフィルター枠本体の入射光側に位置するフィルターホルダー１６の外周上で上下または左右の対角位置の２カ所にアタッチメント枠２（図示せず）に対するクリップ係合解除ボタン１３ａ、１３ｂを突設して設け、該クリップ係合解除ボタン１３ａ、１３ｂの突起部に対向してフィルター枠本体のレンズ鏡筒側４ｂの外周部には前記アタッチメント枠２に対する回転操作用突起部１４ａ、１４ｂを２カ所設けているフィルター枠本体１であり、本発明において、アタッチメント枠２にフィルター枠本体１を装着する場合の操作は、アタッチメント枠２にフィルター枠本体１を嵌合して押圧することで、クリップ係合部２１ａ、２１ｂをアタッチメント枠２の外周上に刻設された係合溝部１２に嵌着して装着され、また、アタッチメント枠２よりフィルター枠本体１を取り外す場合の操作は、フィルター枠本体１の外周枠部１５に突出して設けられた前記２カ所のクリップ係合解除ボタン１３ａ、１３ｂを図８（Ｂ）の如く指先で把持することにより取り外すことが簡単、且つ迅速に行えるものである。そして、このフィルター枠本体１の着脱操作は、クリップ係合解除ボタン１３ａ、１３ｂが突出して設けられていることから、極寒の環境下にあっても手袋を嵌めたままでも、簡単、且つ迅速に着脱操作の可能なワンタッチフィルター枠を提供するものである。
【００５８】
斯くして、本発明は、カメラのレンズ鏡筒１の最前部に螺着されて固着可能なリング形状のアタッチメント枠２はフィルター枠本体１の係合用の枠体外周部１１を有するリング形状を形成し、該アタッチメント枠２の枠体外周部１１には前記フィルター枠本体１の係合溝１２を刻設しており、該アタッチメント枠２に装着されるフィルター枠本体１の対向面にはアタッチメント枠２の枠体外周部１１上に刻設された係合溝部１２に係合する２カ所のクリップ係合部２１ａ、２１ｂとそのクリップ係合解除ボタン１３ａ、１３ｂが設けられ、該２カ所のクリップ係合部１３ａ、１３ｂを内蔵するフィルター枠本体の外周枠部１５と各種の効果を有するフィルターレンズ１７を挟持可能なフィルターホルダー１６はネジ部１９により螺着一体化されており、該フィルターホルダー１７には前記２カ所のクリップ係合部２１ａ、２１ｂを保持する板バネ２０ａ、２０ｂの一端が夫々固定され、該フィルターホルダー１７に固定された板バネ２０ａ、２０ｂの他端は夫々クリップ係合部２１ａ、２１ｂのクリップ係合解除ボタン１３ａ、１３ｂ端部に連繋固定されていることにより板バネ２０ａ、２０ｂの可撓性にてクリップ動作が可能に形成され、前記フィルター枠本体１はカメラレンズ鏡筒３の最前部に固着されたアタッチメント枠の入射光側５ａより重ね合わせて押圧することによりフィルター枠本体１の２カ所のクリップ係合部２１ａ、２１ｂがアタッチメント枠２の係合溝１２に係合装着されてフィルターレンズ１７を用いた撮影が可能となり、前記アタッチメント枠２に係合装着されたフィルター枠本体１はクリップ係合部２１ａ、２１ｂに連繋されたクリップ係合解除ボタン１３ａ、１３ｂを指先で挟むことにより板バネ２０ａ、２０ｂの可撓性にて２カ所のクリップ係合部２１ａ、２１ｂが外れてフィルター枠本体１の取外し・交換動作が可能に形成され、また、前記フィルター枠本体１はアタッチメント枠２に係合装着されている場合にアタッチメント枠２に刻設された係合溝１２に沿って任意に回転可能に構成されているワンタッチフィルター枠を提供するものである。
【００５９】
また、本発明において、前記フィルター枠本体１はフィルターホルダー１６のフィルター枠本体の外周枠部１５上で上下または左右の対角位置の２カ所に前記アタッチメント枠２に対するクリップ係合解除ボタン１３ａ、１３ｂを外周側に突設して設け、該クリップ係合解除ボタン１３ａ、１３ｂの突起部に対向してフィルター枠本体の外周枠部１５には前記アタッチメント枠２に対する回転操作用突起部１４ａ、１４ｂを設けているワンタッチフィルター枠を提供するものである。
【００６０】
更に、本発明において、前記フィルター枠本体１は複数数枚用意し、該フィルター枠本体１のフィルターホルダー１６には夫々各種の効果を有するフィルターレンズ１７を挟持して構成するワンタッチフィルターを提供するもので、アタッチメント枠２に装着されるフィルルターレンズ１７は、例えばレンズ保護フィルターレンズ、偏光フィルターレンズ、円偏光フィルターレンズ、段階的に減光効果を発揮できる夫々の減光フィルターレンズ、各種の色温度変換可能な色温度変換フィルターレンズ、段階的に近接撮影の可能なクローズアップフィルターレンズ、色補正フィルターレンズ、ソフト効果フィルターレンズ、ソフトスポット効果フィルターレンズ、光条効果フィルターレンズ、色彩効果フィルターレンズ等の各種の効果を有するフィルターを挟持したフィルター枠本体とすることができ、各種のフィルター効果を発揮できるワンタッチフィルター枠を提供するものである。
【実施例２】
【００６１】
図９（Ａ）、（Ｂ）は本発明の実施例２を説明するものであり、前記図１乃至図８と同一符号は同一構成要素を示している。図９（Ａ）はアタッチメント枠の正面図、図９（Ｂ）は図９（Ａ）のＣ−Ｃの拡大断面図であり、図９（Ａ），（Ｂ）において、２はアタッチメント枠、５ａはアタッチメント枠の入射光側、５ｂはアタッチメント枠のレンズ鏡筒側、１０は前記レンズ鏡筒の内径部８に螺着し固定されるための雄ネジ、１１は枠体外周部、１２は枠体外周部１１に刻設された係合溝、２２はフィルターレンズ嵌合部である。そして、前記フィルターレンズ嵌合部２２にはアタッチメント用フィルターレンズ２３が押さえリングバネ２５にてフィルターレンズ嵌合部２２に挟持されている。
【００６２】
従って、本発明において、フィルター枠本体１を係合装着し、または、取外し・交換動作可能なアタッチメント枠２はそのフィルターレンズ嵌合部２２に各種の効果を有するフィルターレンズを挟持可能に構成でき、該アタッチメント枠２は任意に各種の効果を有するアタッチメント用フィルターレンズ２３を選択してカメラレンズ鏡筒前面に螺着した後、前記各種の効果を有するフィルターレンズ１７が夫々挟持されているフィルター枠本体１をアタッチメント枠２に重ね合わせて装着可能に構成することができるワンタッチフィルター枠を提供するものである。
【００６３】
そして、上記アタッチメント用フィルターレンズ２３は、例えば、例えばレンズ保護フィルターレンズを挟持し、該アタッチメント枠のレンズ保護フィルターレンズに偏光フィルターレンズ、円偏光フィルターレンズ、段階的に減光効果を発揮できる夫々の減光フィルターレンズ、各種の色温度変換可能な色温度変換フィルターレンズ、段階的に近接撮影の可能なクローズアップフィルターレンズ、色補正フィルターレンズ、ソフト効果フィルターレンズ、ソフトスポット効果フィルターレンズ、光条効果フィルターレンズ、色彩効果フィルターレンズ等の各種の効果を有するフィルターを挟持したフィルター枠本体を重ねて装着することにより、今までになかったフィルター効果を発揮できるワンタッチフィルター枠を提供するものである。
【００６４】
斯くして、本発明において、フィルターレンズを挟持しない構成のアタッチメント枠とフィルター枠本体の組み合わせ構造において、該フィルター枠本体に挟持されるフィルターレンズはレンズ保護フィルターレンズ、偏光フィルターレンズ、円偏光フィルターレンズ、段階的に減光効果を発揮できる夫々の減光フィルターレンズ、各種の色温度変換可能な色温度変換フィルターレンズ、段階的に近接撮影の可能なクローズアップフィルターレンズ、色補正フィルターレンズ、ソフト効果フィルターレンズ、ソフトスポット効果フィルターレンズ、光条効果フィルターレンズ、色彩効果フィルターレンズで、該フィルターレンズを挟持したフィルター枠本体は夫々ワンタッチで前記アタッチメント枠に装着することが可能であるワンタッチフィルターを提供できる。
【００６５】
また、フィルターレンズを内蔵した構成のアタッチメント枠とフィルター枠本体及の組み合わせ構造において、前記アタッチメント枠に挟持するフィルターレンズとフィルター枠本体のフィルターホルダーに挟持されるフィルターレンズはレンズ保護フィルターレンズと偏光フィルターレンズ、円偏光フィルターレンズ、段階的に減光効果を発揮できる夫々の減光フィルターレンズ、各種の色温度変換可能な色温度変換フィルターレンズ、段階的に近接撮影の可能なクローズアップフィルターレンズ、色補正フィルターレンズ、ソフト効果フィルターレンズ、ソフトスポット効果フィルターレンズ、光条効果フィルターレンズ、色彩効果フィルターレンズとの組み合わせが可能であり、また、本発明はアタッチメント枠に各種の色温度変換可能な色温度変換フィルターレンズを内蔵し、該アタッチメント枠とフィルター枠本体に内蔵する光条効果フィルターレンズを重ねわせて利用できる等フィルターの応用範囲が大幅に拡大することが可能となるワンタッチフィルターが提供できる。
【００６６】
そして、本発明は、カメラレンズ鏡筒前面に各種効果を有する種々のフィルターを簡単、且つ迅速に装着、及び取り外すことができシャッターチャンスを逃さないフィルター枠を提供可能であり、またカメラレンズ鏡筒前面に装着されたフィルターは、カメラレンズ鏡筒の光軸を中心として任意に回転可能に形成することにより、偏光フィルターや円偏光フィルター、並びに光条効果フィルターの如く２重枠構造のフィルター枠において、フィルター枠を２重構造とすることが不要となるフィルター枠を供することが可能であり、本発明は、回転枠側に挟持する一般形状のフィルターホルダーのみをフィルター枠本体に装着することで、それぞれの役割をもつ、フィルターの効果を引き出すだすことができるワンタッチフィルター枠を提供することが可能である。そして、本発明に使用されるフィルター枠本体の形状は、裏表の両面に着脱機構のない薄型形状を有し、また従来の２重枠構造のフィルター枠も２重枠構造にする必要がないことから、全体としてケラレ現象の発生しない薄型形状のフィルター枠に構成することが可能である。
【００６７】
また、本発明におけるフィルター枠の着脱機構は、アタッチメント枠とフィルター枠本体の組み合わせ機構で、アタッチメント枠に装着されるフィルター枠本体の外周部には、２カ所のクリップ係合解除ボタンが外周方向に突出してフィルター枠本体の対角位置上に設けられており、該クリップ係合解除ボタンは板バネを介して前記クリップ係合部と連繋した形状を有し、アタッチメント枠にフィルター枠本体を装着する場合の操作は、アタッチメント枠にフィルター枠本体を嵌合して押圧することで、クリップ係合部をアタッチメント枠の外周上に刻設された係合溝部に嵌着して装着され、アタッチメント枠よりフィルター枠を取り外す場合の操作は、フィルター枠本体の外周部に突出して設けられた前記２カ所のクリップ係合解除ボタンを指先で把持することにより取り外すことが簡単、且つ迅速に行えるものであり、特に本発明においてフィルター枠の着脱操作は、極寒の環境下にあっても手袋を嵌めたままで、簡単、且つ迅速に着脱操作の可能なワンタッチフィルター枠を提供することができる。
【００６８】
更に、本発明におけるフィルター枠の着脱機構は、フィルター枠本体の２カ所のクリップ係合解除ボタンの後方（カメラレンズ鏡筒側）の外周方向に、フィルター枠本体の回転操作用突起部が同様に２カ所設けられていて、フィルター枠本体は２カ所の回転操作用突起部を指先で把持して回転することによりカメラレンズ鏡筒の光軸を中心に任意に回転可能に構成されていることにより、前記フィルター枠本体は、アタッチメント枠に対するフィルター枠本体の嵌合位置を確認してからの装着操作の手順が不要で、任意位置でのフィルター枠の着脱操作が簡単、且つ迅速に行えるワンタッチフィルター枠を提供することができる。
【００６９】
そして、本発明におけるフィルター枠の着脱機構は、カメラレンズ鏡筒前面の開口部に固着されたリング形状のアタッチメント枠に各種の効果を有するフィルターレンズを挟持したフィルター枠本体を任意に選択して装着する組み合わせの利用方法の他、前記アタッチメント枠に例えばレンズ保護フィルターレンズを挟持し、該アタッチメント枠のレンズ保護フィルターレンズに偏光フィルターレンズ、円偏光フィルターレンズ、段階的に減光効果を発揮できる夫々の減光フィルターレンズ、各種の色温度変換可能な色温度変換フィルターレンズ、段階的に近接撮影の可能なクローズアップフィルターレンズ、色補正フィルターレンズ、ソフト効果フィルターレンズ、ソフトスポット効果フィルターレンズ、光条効果フィルターレンズ、色彩効果フィルターレンズ等の各種の効果を有するフィルターを挟持したフィルター枠本体を重ねて装着することにより、今までになかったフィルター効果を発揮できるワンタッチフィルター枠を提供可能にするものである。
【符号の説明】
【００７０】
１  フィルター枠本体
２  アタッチメント枠
３  カメラレンズ鏡筒
４ａ  フィルター枠本体の入射光側
４ｂ  フィルター枠本体のレンズ鏡筒側  
５ａ  アタッチメント枠の入射光側
５ｂ  アタッチメント枠のレンズ鏡筒側
６ａ  カメラレンズ鏡筒の入射光側
７  口径
８  内径部
９  雌ねじ
１０  雄ネジ
１１  枠体外周部
１２  係合溝
１３ａ、１３ｂ  クリップ係合解除ボタン
１４ａ、１４ｂ  回転操作用突起部
１５  フィルター枠本体の外周枠部
１６  フィルターホルダー
１７  フィルターレンズ
１８  押さえバネリング
１９  ネジ部
２０ａ、２０ｂ  板バネ
２１ａ、２１ｂ  クリップ係合部
２２  フィルターレンズ嵌合部
２３  アタッチメント用フィルターレンズ
Ｃ    光軸
【図１】
2017146516.tif 000003
【図２】
2017146516.tif 000004
【図３】
2017146516.tif 000005
【図４】
2017146516.tif 000006
【図５】
2017146516.tif 000007
【図６】
2017146516.tif 000008
【図７】
2017146516.tif 000009
【図８】
2017146516.tif 000010
【図９】
2017146516.tif 000011
【手続補正書】
【提出日】平成28年10月13日(2016.10.13)
【手続補正１】
【補正対象書類名】特許請求の範囲
【補正対象項目名】全文
【補正方法】変更
【補正の内容】
【特許請求の範囲】
【請求項１】
カメラのレンズ鏡筒の最前部に螺着されて固着可能なリング形状のアタッチメント枠はフィルター枠本体の係合用の枠体外周部を有するリング形状を形成し、
該アタッチメント枠の枠体外周部には前記フィルター枠本体を係合する係合溝を刻設しており、
該アタッチメント枠に装着されるフィルター枠本体の対向面にはアタッチメント枠の枠体外周部上に刻設された係合溝に係合する２カ所のクリップ係合部と該クリップ係合部を動作させるためのクリップ係合解除ボタンが設けられ、
該２カ所のクリップ係合部を内蔵するフィルター枠本体の外周枠部と各種の効果を有するフィルターレンズを挟持可能なフィルターホルダーはネジ部により螺着一体化されており、
該フィルターホルダーには前記２カ所のクリップ係合部を保持する板バネの一端が夫々固定され、
該フィルターホルダーに固定された板バネの他端は夫々クリップ係合解除ボタンの端部に連繋固定されていることにより板バネの可撓性にてクリップ動作が可能に形成され、
前記フィルター枠本体はカメラレンズ鏡筒の最前部に固着されたアタッチメント枠の入射光側より重ね合わせて押圧することによりフィルター枠本体の２カ所のクリップ係合部がアタッチメント枠の係合溝に係合装着されてフィルターレンズを用いた撮影が可能となり、
前記アタッチメント枠に係合装着されたフィルター枠本体はクリップ係合部に連繋されたクリップ係合解除ボタンを指先で挟むことにより板バネの可撓性にて２カ所のクリップ係合部が外れてフィルター枠本体の取外し・交換動作が可能に形成され、
また、前記フィルター枠本体はアタッチメント枠に係合装着されている場合にアタッチメント枠に刻設された係合溝に沿って任意に回転可能に構成されていることを特徴とするアタッチメント枠とフィルター枠本体とからなるワンタッチフィルター枠。
【請求項２】
前記フィルター枠本体は光軸の入射光側に位置するフィルターホルダーの外周上で、中心に対して対称な位置の２カ所に前記アタッチメント枠に対するクリップ係合解除ボタンを突設して設け、
該クリップ係合解除ボタンの突起部に対向してフィルター枠本体のレンズ鏡筒側の外周枠部には前記アタッチメント枠に対する回転操作用突起部を設けていることを特徴とする請求項１に記載のワンタッチフィルター枠。
【請求項３】
前記フィルター枠本体は複数枚用意し、
該フィルター枠本体のフィルターホルダーは夫々各種の効果を有するフィルターレンズを挟持して構成することを特徴とする請求項１又は請求項２に記載のワンタッチフィルター枠。
【請求項４】
前記フィルター枠本体を係合装着しまたは、取外し・交換動作可能なアタッチメント枠はその内径部に各種の効果を有するフィルターレンズを挟持可能に構成し、
該アタッチメント枠は任意に各種の効果を有するフィルターレンズを選択してカメラレンズ鏡筒前面に螺着した後、
前記各種の効果を有するフィルターレンズが夫々挟持されているフィルター枠本体をアタッチメント枠に重ね合わせて装着可能に構成したことを特徴とする請求項１乃至請求項３のいずれかに記載のワンタッチフィルター枠。
【手続補正２】
【補正対象書類名】明細書
【補正対象項目名】００２１
【補正方法】変更
【補正の内容】
【００２１】
本発明において、カメラのレンズ鏡筒の最前部に螺着されて固着可能なリング形状のアタッチメント枠は、フィルター枠本体の係合用の枠体を形成し、該フィルター枠本体の係合用の枠体となるアタッチメント枠はその外周部上に刻設されたフィルター枠本体を係合する係合溝を有しており、該アタッチメント枠に装着されるフィルター枠本体の対向面にはアタッチメント枠の外周部上に刻設された係合溝に係合する２カ所のクリップ係合部と該クリップ係合部を動作させるためのクリップ係合解除ボタンが設けられ、該２カ所のクリップ係合部を内蔵するフィルター枠本体の外周枠部内には各種の効果を有するフィルターレンズを挟持可能なフィルターホルダーがネジ部により螺着一体化されており、該フィルターホルダーには前記２カ所のクリップ係合部を保持する板バネの一端が夫々固定され、該フィルターホルダーに固定された板バネの他端は夫々クリップ係合解除ボタンの端部に連繋固定されていることにより板バネの可撓性にてクリップ動作が可能に形成され、前記フィルター枠本体はカメラレンズ鏡筒の最前部に固着されたアタッチメント枠の入射光側より重ね合わせて押圧することによりフィルター枠本体の２カ所のクリップ係合部がアタッチメント枠の係合溝に係合装着されてフィルターレンズを用いた撮影が可能となり、前記アタッチメント枠に係合装着されたフィルター枠本体はクリップ係合部に連繋されたクリップ係合解除ボタンを指先で挟むことにより板バネの可撓性にて２カ所のクリップ係合部が外れてフィルター枠本体の取外し・交換動作が可能に形成され、また、前記フィルター枠本体はアタッチメント枠に係合装着されている場合にアタッチメント枠に刻設された係合溝に沿って任意に回転可能に構成されているアタッチメント枠とフィルター枠本体とからなるワンタッチフィルター枠を提供するものである。
【手続補正３】
【補正対象書類名】明細書
【補正対象項目名】００２２
【補正方法】変更
【補正の内容】
【００２２】
また、本発明においては、フィルター枠本体は、光軸の入射光側に位置するフィルターホルダーの外周上で、中心に対して対称な位置の２カ所に前記アタッチメント枠に対するクリップ係合解除ボタンを突設して設け、該クリップ係合解除ボタンの突起部に対向してレンズ鏡筒側の外周部には前記アタッチメント枠に対する回転操作用突起部を２カ所設けているワンタッチフィルター枠を提供するものであり、本発明において、アタッチメント枠にフィルター枠本体を装着する場合の操作は、アタッチメント枠にフィルター枠本体を嵌合して押圧することで、クリップ係合部をアタッチメント枠の外周上に刻設された係合溝に嵌着して装着され、また、アタッチメント枠よりフィルター枠を取り外す場合の操作は、フィルター枠本体の外周枠部に突出して設けられた前記２カ所のクリップ係合解除ボタンを指先で把持することにより取り外すことが簡単、且つ迅速に行えるものである。そして、特に本発明においては、フィルター枠本体の着脱操作は、極寒の環境下にあっても手袋を嵌めたままでも、簡単、且つ迅速に着脱操作の可能なワンタッチフィルター枠を提供するものである。
【手続補正４】
【補正対象書類名】明細書
【補正対象項目名】００３６
【補正方法】変更
【補正の内容】
【００３６】
斯くして、本発明において、カメラのレンズ鏡筒の最前部の内径部に螺着されレンズ鏡筒の最前部に固着可能なリング形状のアタッチメント枠は、レンズ鏡筒の最前部に口径部を形成し、該リング形状のアタッチメント枠の口径部にはその外周上に刻設されたフィルター枠本体を係合する係合溝を有しており、また前記アタッチメント枠に装着されるフィルター枠本体の対向面にはアタッチメント枠の口径部の外周上に刻設された係合溝に係合する２カ所のクリップ係合部と該クリップ係合部を動作させるためのクリップ係合解除ボタンが形成され、該２カ所のクリップ係合部を内蔵するフィルター枠本体の外周枠部内には各種の効果を有するフィルターレンズを挟持したフィルターホルダーがネジ部により螺着一体化されており、該フィルターホルダーには夫々のクリップ係合部を保持する板バネの一端が固定され、該フィルターホルダーに固定された板バネの他端は夫々クリップ係合解除ボタンに連繋固定されておりクリップ係合部とクリップ係合解除ボタンを指先で挟むことにより板バネの可撓性にてクリップ動作が可能に形成され、該クリップ係合部とクリップ係合解除ボタンを介してフィルター枠本体が前記アタッチメント枠の口径部の外周上に刻設された係合溝に係合装着することで前記アタッチメント枠にフィルター枠本体が装着可能に構成され、該アタッチメント枠に装着されたフィルター枠本体は前記アタッチメント枠に刻設された係合溝に沿って任意に回転可能に構成されているアタッチメント枠とフィルター枠本体とからなるワンタッチフィルター枠であることが好ましい。
【手続補正５】
【補正対象書類名】明細書
【補正対象項目名】００３７
【補正方法】変更
【補正の内容】
【００３７】
また、本発明におけるワンタッチフィルター枠において、フィルター枠本体は光軸の入射光側に位置するフィルターホルダーの外周上で、中心に対して対称な位置の２カ所に前記アタッチメント枠に対するクリップ係合解除ボタンを突設して設け、該クリップ係合解除ボタンの突起部に対向してフィルター枠本体のレンズ鏡筒側の外周枠部には前記アタッチメント枠に対する回転操作用突起部を２カ所設けている構成であることが好ましい。尚、本発明のフィルター枠本体は従来のアルミ製に替わり高分子弾性体からなる合成樹脂、即ち、熱硬化性樹脂や熱可塑性樹脂、並びに合成樹脂を用いた繊維強化プラスチックスなどの複合材料を成形加工して製作してもよく、特に前記クリップ係合解除ボタンやクリップ係合部は滑性の良い合成樹脂を用いることが好ましい。
【手続補正６】
【補正対象書類名】明細書
【補正対象項目名】００４８
【補正方法】変更
【補正の内容】
【００４８】
而して、図１の側面図において、前記アタッチメント枠２の入射光側５ａに配置されたフィルター枠本体１の形状は、上下２カ所に設置されたクリップ係合解除ボタン１３ａ、１３ｂと同じく上下２カ所に設置された回転操作用突起部１４ａ、１４ｂを有するフィルター枠本体の外周枠部１５からなり、前記フィルター枠本体１は、図３に示すようにフィルター枠本体１のフィルターホルダー１６、及びフィルター枠本体の外周枠部１５（裏面）の外周上で、中心に対して対称な位置の２カ所に前記アタッチメント枠２に対するクリップ係合解除ボタン１３ａ、１３ｂを突設して設けている。
【手続補正７】
【補正対象書類名】明細書
【補正対象項目名】００５４
【補正方法】変更
【補正の内容】
【００５４】
図６及び図７において、カメラレンズ鏡筒３の最前部の内径部８に設けられた雌ねじ９にはアタッチメント枠２に螺設された雄ネジ１０が螺合され、アタッチメント枠２をカメラレンズ鏡筒３の最前部に固着されており、アタッチメント枠２に装着されるフィルター枠本体の外周枠部１５には、２カ所のクリップ係合解除ボタン１３ａ、１３ｂが外周方向に突出してフィルター枠本体１の外周上で中心に対して対称な位置に設けられており、該クリップ係合解除ボタン１３ａ、１３ｂは板バネ２０ａ、２０ｂを介してクリップ係合部２１ａ、２１ｂと連繋した形状を有し、前記アタッチメント枠２にフィルター枠本体１を装着する場合の操作は、アタッチメント枠２にフィルター枠本体１を矢印方向に移動して嵌合し押圧することで、クリップ係合部２１ａ、２１ｂをアタッチメント枠２の枠体外周部１１に刻設された係合溝部１２に嵌着して装着され、該クリップ係合部２１ａ、２１ｂは前記アタッチメント枠２の外周上に刻設された係合溝部１２に沿って回動可能でありフィルター枠本体１はカメラレンズ鏡筒３の光軸Ｃを中心として任意に回転可能に構成されている。
【手続補正８】
【補正対象書類名】明細書
【補正対象項目名】００５７
【補正方法】変更
【補正の内容】
【００５７】
図８（Ａ）はフィルター枠本体の装着及び取外し動作説明図であり、図８（Ｂ）フィルター枠本体の取外し機構説明図である。図８において、フィルター枠本体１は、光軸Ｃのフィルター枠本体の入射光側に位置するフィルターホルダー１６の外周上で、中心に対して対称な位置の２カ所にアタッチメント枠２（図示せず）に対するクリップ係合解除ボタン１３ａ、１３ｂを突設して設け、該クリップ係合解除ボタン１３ａ、１３ｂの突起部に対向してフィルター枠本体のレンズ鏡筒側４ｂの外周部には前記アタッチメント枠２に対する回転操作用突起部１４ａ、１４ｂを２カ所設けているフィルター枠本体１であり、本発明において、アタッチメント枠２にフィルター枠本体１を装着する場合の操作は、アタッチメント枠２にフィルター枠本体１を嵌合して押圧することで、クリップ係合部２１ａ、２１ｂをアタッチメント枠２の外周上に刻設された係合溝部１２に嵌着して装着され、また、アタッチメント枠２よりフィルター枠本体１を取り外す場合の操作は、フィルター枠本体１の外周枠部１５に突出して設けられた前記２カ所のクリップ係合解除ボタン１３ａ、１３ｂを図８（Ｂ）の如く指先で把持することにより取り外すことが簡単、且つ迅速に行えるものである。そして、このフィルター枠本体１の着脱操作は、クリップ係合解除ボタン１３ａ、１３ｂが突出して設けられていることから、極寒の環境下にあっても手袋を嵌めたままでも、簡単、且つ迅速に着脱操作の可能なワンタッチフィルター枠を提供するものである。
【手続補正９】
【補正対象書類名】明細書
【補正対象項目名】００５８
【補正方法】変更
【補正の内容】
【００５８】
斯くして、本発明は、カメラのレンズ鏡筒１の最前部に螺着されて固着可能なリング形状のアタッチメント枠２はフィルター枠本体１の係合用の枠体外周部１１を有するリング形状を形成し、該アタッチメント枠２の枠体外周部１１には前記フィルター枠本体１を係合する係合溝１２を刻設しており、該アタッチメント枠２に装着されるフィルター枠本体１の対向面にはアタッチメント枠２の枠体外周部１１上に刻設された係合溝１２に係合する２カ所のクリップ係合部２１ａ、２１ｂと該クリップ係合部２１ａ、２１ｂを動作させるためのクリップ係合解除ボタン１３ａ、１３ｂが設けられ、該２カ所のクリップ係合部１３ａ、１３ｂを内蔵するフィルター枠本体の外周枠部１５と各種の効果を有するフィルターレンズ１７を挟持可能なフィルターホルダー１６はネジ部１９により螺着一体化されており、該フィルターホルダー１７には前記２カ所のクリップ係合部２１ａ、２１ｂを保持する板バネ２０ａ、２０ｂの一端が夫々固定され、該フィルターホルダー１７に固定された板バネ２０ａ、２０ｂの他端は夫々クリップ係合解除ボタン１３ａ、１３ｂの端部に連繋固定されていることにより板バネ２０ａ、２０ｂの可撓性にてクリップ動作が可能に形成され、前記フィルター枠本体１はカメラレンズ鏡筒３の最前部に固着されたアタッチメント枠の入射光側５ａより重ね合わせて押圧することによりフィルター枠本体１の２カ所のクリップ係合部２１ａ、２１ｂがアタッチメント枠２の係合溝１２に係合装着されてフィルターレンズ１７を用いた撮影が可能となり、前記アタッチメント枠２に係合装着されたフィルター枠本体１はクリップ係合部２１ａ、２１ｂに連繋されたクリップ係合解除ボタン１３ａ、１３ｂを指先で挟むことにより板バネ２０ａ、２０ｂの可撓性にて２カ所のクリップ係合部２１ａ、２１ｂが外れてフィルター枠本体１の取外し・交換動作が可能に形成され、また、前記フィルター枠本体１はアタッチメント枠２に係合装着されている場合にアタッチメント枠２に刻設された係合溝１２に沿って任意に回転可能に構成されているアタッチメント枠とフィルター枠本体とからなるワンタッチフィルター枠を提供するものである。
【手続補正１０】
【補正対象書類名】明細書
【補正対象項目名】００５９
【補正方法】変更
【補正の内容】
【００５９】
また、本発明において、前記フィルター枠本体１はフィルターホルダー１６のフィルター枠本体の外周枠部１５上で、中心に対して対称な位置の２カ所に前記アタッチメント枠２に対するクリップ係合解除ボタン１３ａ、１３ｂを外周側に突設して設け、該クリップ係合解除ボタン１３ａ、１３ｂの突起部に対向してフィルター枠本体の外周枠部１５には前記アタッチメント枠２に対する回転操作用突起部１４ａ、１４ｂを設けているワンタッチフィルター枠を提供するものである。
【手続補正１１】
【補正対象書類名】明細書
【補正対象項目名】００６０
【補正方法】変更
【補正の内容】
【００６０】
更に、本発明において、前記フィルター枠本体１は複数枚用意し、該フィルター枠本体１のフィルターホルダー１６には夫々各種の効果を有するフィルターレンズ１７を挟持して構成するワンタッチフィルターを提供するもので、アタッチメント枠２に装着されるフィルルターレンズ１７は、例えばレンズ保護フィルターレンズ、偏光フィルターレンズ、円偏光フィルターレンズ、段階的に減光効果を発揮できる夫々の減光フィルターレンズ、各種の色温度変換可能な色温度変換フィルターレンズ、段階的に近接撮影の可能なクローズアップフィルターレンズ、色補正フィルターレンズ、ソフト効果フィルターレンズ、ソフトスポット効果フィルターレンズ、光条効果フィルターレンズ、色彩効果フィルターレンズ等の各種の効果を有するフィルターを挟持したフィルター枠本体とすることができ、各種のフィルター効果を発揮できるワンタッチフィルター枠を提供するものである。
【手続補正１２】
【補正対象書類名】明細書
【補正対象項目名】００７０
【補正方法】変更
【補正の内容】
【００７０】
１  フィルター枠本体
２  アタッチメント枠
３  カメラレンズ鏡筒
４ａ  フィルター枠本体の入射光側
４ｂ  フィルター枠本体のレンズ鏡筒側  
５ａ  アタッチメント枠の入射光側
５ｂ  アタッチメント枠のレンズ鏡筒側
６ａ  カメラレンズ鏡筒の入射光側
７  口径
８  内径部
９  雌ねじ
１０  雄ネジ
１１  枠体外周部
１２  係合溝
１３ａ、１３ｂ  クリップ係合解除ボタン
１４ａ、１４ｂ  回転操作用突起部
１５  フィルター枠本体の外周枠部
１６  フィルターホルダー
１７  フィルターレンズ
１８  押さえバネリング
１９  ネジ部
２０ａ、２０ｂ  板バネ
２１ａ、２１ｂ  クリップ係合部
２２  フィルターレンズ嵌合部
２３  アタッチメント用フィルターレンズ
２５  押さえリングバネ
Ｃ    光軸